(57)【要約】【課題】良好な立体画像をより容易に観察することが可能な立体画像表示装置及び制御方法を提供する。【解決手段】平面視画像を表示することで平面視を可能にするとともに、立体視画像を表示することで立体視を可能にする表示手段と、前記表示手段に表示される画像を観察することが可能な観察領域を撮像した撮像画像を取得する撮像手段と、前記平面視画像から前記立体視画像への切り替え指示を受信する切替指示受信手段と、前記切替指示受信手段が前記切り替え指示を受信した場合に、前記観察領域内において前記立体視を正常に行うことが可能な領域である視域と、当該視域以外の領域である逆視領域との配置関係を示した領域情報を用いて、当該配置関係を示す画像を前記撮像画像に重畳した提示画像を生成する生成手段と、前記立体視画像の表示に先駆けて、前記提示画像を前記平面視画像として前記表示手段に表示させる表示制御手段と、を備える。【選択図】図４
2012253425.tif 000002
【特許請求の範囲】
【請求項１】
平面視画像を表示することで平面視を可能にするとともに、立体視画像を表示することで立体視を可能にする表示手段と、
前記表示手段に表示される画像を観察することが可能な観察領域を撮像した撮像画像を取得する撮像手段と、
前記平面視画像から前記立体視画像への切り替え指示を受信する切替指示受信手段と、
前記切替指示受信手段が前記切り替え指示を受信した場合に、前記観察領域内において前記立体視を正常に行うことが可能な領域である視域と、当該視域以外の領域である逆視領域との配置関係を示した領域情報を用いて、当該配置関係を示す画像を前記撮像画像に重畳した提示画像を生成する生成手段と、
前記立体視画像の表示に先駆けて、前記提示画像を前記平面視画像として前記表示手段に表示させる表示制御手段と、
を備えることを特徴とする立体画像表示装置。
【請求項２】
前記観察領域内での視聴者の存在位置を特定する特定手段を更に備え、
前記生成手段は、前記特定手段が特定した存在位置に基づいて、前記提示画像を生成することを特徴とする請求項１に記載の立体画像表示装置。
【請求項３】
前記領域情報を用いて、前記特定手段が特定した前記視聴者の存在位置が前記逆視領域に含まれるか否かを判定する判定手段を更に備え、
前記生成手段は、前記判定手段が前記逆視領域に含まれると判定した場合に、前記提示画像を生成することを特徴とする請求項２に記載の立体画像表示装置。
【請求項４】
前記表示制御手段は、前記提示画像を鏡像反転して前記表示手段に表示させることを特徴とする請求項１〜３の何れか一項に記載の立体画像表示装置。
【請求項５】
前記表示制御手段は、前記表示手段が表示する表示画面の一部に、前記提示画像を表示させることを特徴とする請求項１〜３の何れか一項に記載の立体画像表示装置。
【請求項６】
平面視画像を表示することで平面視を可能にするとともに、立体視画像を表示することで立体視を可能にする表示手段を備えた立体画像表示装置の制御方法であって、
撮像手段が、前記表示手段に表示される画像を観察することが可能な観察領域を撮像した撮像画像を取得する撮像工程と、
切替指示受信手段が、前記平面視画像から前記立体視画像への切り替え指示を受信する切替指示受信工程と、
生成手段が、前記切替指示受信手段が前記切り替え指示を受信した場合に、前記観察領域内において前記立体視を正常に行うことが可能な領域である視域と、当該視域以外の領域である逆視領域との配置関係を示した領域情報を用いて、当該配置関係を示す画像を前記撮像画像に重畳した提示画像を生成する生成工程と、
表示制御手段が、前記立体視画像の表示に先駆けて、前記提示画像を前記平面視画像として前記表示手段に表示させる表示制御工程と、
を含む制御方法。
【発明の詳細な説明】
【技術分野】
【０００１】
本発明の実施形態は、立体画像表示装置及び制御方法に関するものである。
【背景技術】
【０００２】
レンチキュラレンズ方式や視差バリア方式等の視差分割方式を用いることで、グラスレスで裸眼により立体画像を観察することが可能な立体表示装置が知られている。係る立体表示装置では、視点の異なる複数の画像が表示され、これらの光線が分離された状態で観察者の両眼に導かれる。このような構成上の理由により、立体表示装置では、立体画像を正しく認識することが可能な領域（視域）と、左右の画像が逆転等することで立体画像を正しく認識することができなくなる領域（逆視領域）とが存在する。そのため、従来、表示画面の前方に位置する観察者を検出し、該観察者が視域からずれて存在する場合に、視域への移動を誘導するための技術が提案されている。
【先行技術文献】
【特許文献】
【０００３】
【特許文献１】特許第３４４３２７１号公報
【特許文献２】特開平９−２９８７５９号公報
【発明の概要】
【発明が解決しようとする課題】
【０００４】
しかしながら、従来の技術では、視域への移動を誘導するタイミングについては考慮されていない。そのためこの誘導を、画像を用いて行う場合、当該画像が立体映像として表示されてしまうと、逆視領域に存在する観察者は正しく認識することができないため、かえって混乱してしまう可能性がある。
【０００５】
本発明は、上記に鑑みてなされたものであって、良好な立体画像をより容易に観察することが可能な立体画像表示装置及び制御方法を提供することを目的とする。
【課題を解決するための手段】
【０００６】
実施の形態の立体画像表示装置は、表示手段と、撮像手段と、切替指示受信手段と、生成手段と、表示制御手段とを備える。表示手段は、平面視画像を表示することで平面視を可能にするとともに、立体視画像を表示することで立体視を可能にする。撮像手段は、表示手段に表示される画像を観察することが可能な観察領域を撮像した撮像画像を取得する。切替指示受信手段は、平面視画像から立体視画像への切り替え指示を受信する。生成手段は、切替指示受信手段が切り替え指示を受信した場合に、観察領域内において立体視を正常に行うことが可能な領域である視域と、当該視域以外の領域である逆視領域との配置関係を示した領域情報を用いて、当該配置関係を示す画像を前記撮像画像に重畳した提示画像を生成する。表示制御手段は、立体視画像の表示に先駆けて、提示画像を平面視画像として表示手段に表示させる。
【図面の簡単な説明】
【０００７】
【図１】図１は、第１の実施形態に係る立体画像表示装置（テレビジョン装置）の一例を示す外観斜視図。
【図２】図２は、図１に示したテレビジョン装置の信号処理系を示すブロック図。
【図３】図３は、図１に示したテレビジョン装置の観察領域の一例を示す模式図。
【図４】図４は、第１の実施形態に係る制御部の機能構成を模式的に示すブロック図。
【図５】図５は、提示画像の一例を示す図。
【図６】図６は、提示画像の一例を示す図。
【図７】図７は、提示画像の一例を示す図。
【図８】図８は、提示画像の一例を示す図。
【図９】図９は、第１の実施形態に係る表示切替時処理の手順を示すフローチャート。
【図１０】図１０は、第２の実施形態に係る制御部の機能構成を模式的に示すブロック図。
【図１１】図１１は、提示画像の一例を示す図。
【図１２】図１２は、第２の実施形態に係る表示切替時処理の手順を示すフローチャート。
【発明を実施するための形態】
【０００８】
以下に添付図面を参照して、この発明に係る立体画像表示装置及び方法の実施の形態を詳細に説明する。なお、本実施形態では、立体画像表示装置をテレビジョン装置に適用した例について説明するが、これに限らず、ＰＣ（据え置き型、ノート型、タブレット型を含む）等の情報処理装置やディスプレイ装置等に適用してもよい。
【０００９】
［第１の実施形態］
図１は、第１の実施形態に係る立体画像表示装置であるテレビジョン装置１００の一例を示す外観斜視図である。図１に示すように、テレビジョン装置１００は、前方から見た正面視（前面に対する平面視）で、長方形状の外観を呈している。テレビジョン装置１００は、筐体２と、表示部３を備えている。
【００１０】
ここで、表示部３は、後述する表示パネル３１と光線制御子３２（図２参照）を備えた、立体表示用のディスプレイであり、後述する制御部２１の制御の下、一視点分の画像で構成される通常の平面視表示用の映像信号（平面視画像）と、視点の異なる複数の画像で構成される立体視表示用の映像信号（立体視画像）とを切り替え可能に表示する。なお、本実施形態で用いる「画像」とは、静止画及び動画等の映像を含む概念である。
【００１１】
また、筐体２には、カメラ装置４が設けられている。このカメラ装置４の撮像方向は、テレビジョン装置１００に対向方向に向けられており、主にテレビジョン装置１００の視聴者を撮像する目的で用いられる。また、筐体２は、支持部５に支持されている。
【００１２】
図２は、テレビジョン装置１００の信号処理系を示すブロック図である。図２に示すように、テレビジョン装置１００は、アンテナ１１で受信した放送信号を、入力端子１２を介してチューナ部１３に供給することにより、所望のチャンネルの放送信号を選局することが可能になっている。
【００１３】
テレビジョン装置１００は、チューナ部１３で選局された放送信号を、復調復号部１４に供給してデジタル映像信号及びデジタル音声信号等に復元した後、信号処理部１５に出力する。信号処理部１５は、復調復号部１４から供給されたデジタルの映像信号及び音声信号に対してそれぞれ所定のデジタル信号処理を施す。
【００１４】
ここで、信号処理部１５が行なう所定のデジタル信号処理には、通常の平面視表示用の映像信号を立体視表示用の映像信号に変換する処理、立体視表示用の映像信号を平面視表示用の映像信号に変換する処理等も含まれている。
【００１５】
また、信号処理部１５は、デジタル映像信号を合成処理部１６に出力し、デジタル音声信号を音声処理部１７に出力する。
【００１６】
合成処理部１６は、信号処理部１５から供給されるデジタル映像信号に、ＯＳＤ（On  Screen  Display）信号生成部１８で生成される字幕、ＧＵＩ（Graphical  User  Interface）、ＯＳＤなどの重畳用映像信号であるＯＳＤ信号を重畳して出力している。この場合、合成処理部１６は、信号処理部１５から供給される映像信号が平面視表示用の映像信号であれば、その映像信号にＯＳＤ信号生成部１８から供給されたＯＳＤ信号をそのまま重畳して出力している。
【００１７】
また、合成処理部１６は、信号処理部１５から供給される映像信号が立体視表示用の映像信号である場合、ＯＳＤ信号生成部１８から供給されたＯＳＤ信号に対して、入力された立体視表示用の映像信号に対応した立体視表示用の信号処理を施した後、そのＯＳＤ信号を入力映像信号に重畳して出力している。
【００１８】
テレビジョン装置１００は、合成処理部１６から出力したデジタルの映像信号を、映像処理部１９に供給する。映像処理部１９は、入力されたデジタル映像信号を、後段の、表示部３で表示可能なフォーマットのアナログ映像信号に変換している。テレビジョン装置１００は、映像処理部１９から出力されたアナログ映像信号を、表示部３に供給して映像表示に供する。
【００１９】
表示部３は、表示パネル３１と光線制御子３２とを有している。表示パネル３１は、ＬＣＤ（Liquid  Crystal  Display）等のフラットパネルディスプレイであり、映像処理部１９から出力されたアナログ映像信号を表示する。光線制御子３２は、パララックスバリアや、レンチキュラレンズ等の分光素子であり、表示パネル３１の表示面前面に配置されている。
【００２０】
映像処理部１９から入力されるアナログ映像信号が、立体視表示用の映像信号であった場合、表示パネル３１に表示される映像の光線は、光線制御子３２により左目用映像と右目用映像として分離される。そして、視聴者は、左目用映像を左目で、右目用映像を右目で観察することで、立体感のある映像（立体画像）を認識することが可能である。
【００２１】
表示部３において、立体視表示用の映像信号を表示する場合、この表示部３に表示される映像信号（画像）を観察することが可能な領域（以下、観察領域という）は、立体視を正常に行うことが可能な領域である視域と、左右の画像が逆転する逆視やクロストーク等の発生により立体画像を正しく認識することが困難となる領域である逆視領域とに区分けされる。
【００２２】
図３は、テレビジョン装置１００の観察領域の一例を示す模式図である。図３では、テレビジョン装置１００の表示面前方に存在する空間である観察領域Ａ１を、上方（ｚ軸方向）から俯瞰した状態を示している。図３において、白色の矩形で示す範囲が視域Ａ１１である。一方、網掛けした範囲が逆視領域Ａ１２である。なお、破線４１で囲む範囲は、カメラ装置４の撮像範囲（画角）に対応する。
【００２３】
テレビジョン装置１００の視聴者が逆視領域Ａ１２に存在する場合、この視聴者は良好な立体視を得ることができず、立体画像を正しく認識することができない。例えば、図３の例の場合、視域Ａ１１に存在する視聴者Ｐ１及びＰ２は、立体画像を正しく認識することができるが、逆視領域Ａ１２に存在する視聴者Ｐ３は、立体画像を正しく認識することができない。そこで、本実施形態のテレビジョン装置１００では、視聴者から平面視表示から立体視表示への切り替えが指示された場合に、後述する制御部２１の機能により、観察領域内における視域及び逆視領域の配置関係を示す提示画面を、表示部３を用いて視聴者に提示する。
【００２４】
なお、観察領域Ａ１での視域Ａ１１及び逆視領域Ａ１２の配置関係は、表示部３の特性（例えば、光線制御子３２の光学的特性等）に基づき、幾何学的に求めることが可能である。本実施形態では、この視域Ａ１１及び逆視領域Ａ１２の配置関係は予め導出されており、観察領域情報として後述する不揮発性メモリ２１４に格納されているものとする。
【００２５】
図２に戻り、音声処理部１７は、入力されたデジタル音声信号を、後段のスピーカ２０で再生可能なフォーマットのアナログ音声信号に変換している。そして、この音声処理部１７から出力されたアナログ音声信号が、スピーカ２０に供給されることにより音声再生に供される。
【００２６】
ここで、テレビジョン装置１００は、上記した各種の受信動作を含むその全ての動作を制御部２１によって統括的に制御している。この制御部２１は、ＣＰＵ（central  processing  nit）２１１、ＣＰＵ２１１が実行するプログラムを格納したＲＯＭ（Read  Only  Memory）２１２、ＣＰＵ２１１に作業エリアを提供するためのＲＡＭ（Random  Access  Memory）２１３、上述した領域情報等の各種の設定情報や制御情報等が格納された不揮発性メモリ２１４を有しており、ＣＰＵ２１１と各種プログラムとの協働により各部の動作が統括的に制御する。
【００２７】
具体的に、制御部２１は、テレビジョン装置１００の本体に設置された操作部２２からの操作情報を受けて、または、リモートコントローラ２３から送出され受信部２４で受信した操作情報を受けて、その操作内容が反映されるように各部を制御する。
【００２８】
また、制御部２１には、ディスクドライブ部２５が接続されている。ディスクドライブ部２５は、例えばＤＶＤ（Digital  Versatile  Disk）等の光ディスク２６を着脱自在とするもので、装着された光ディスク２６に対してデジタルデータの記録再生を行なう機能を有している。
【００２９】
制御部２１は、視聴者による操作部２２やリモートコントローラ２３の操作に基づいて、復調復号部１４から得られるデジタルの映像信号及び音声信号を、記録再生処理部２８によって暗号化し所定の記録フォーマットに変換した後、ディスクドライブ部２５に供給して光ディスク２６に記録させるように制御することができる。
【００３０】
また、制御部２１は、視聴者による操作部２２やリモートコントローラ２３の操作に基づいて、ディスクドライブ部２５により光ディスク２６からデジタルの映像信号及び音声信号を読み出させ、記録再生処理部２８によって復号化した後、信号処理部１５に供給することによって、以後、上記した映像表示及び音声再生に供させるように制御することができる。
【００３１】
また、制御部２１には、ＨＤＤ（Hard  Disk  Drive）２７が接続されている。制御部２１は、視聴者による操作部２２やリモートコントローラ２３の操作に基づいて、復調復号部１４から得られるデジタルの映像信号及び音声信号を、記録再生処理部２８によって暗号化し所定の記録フォーマットに変換した後、ＨＤＤ２７に供給して記憶させるように制御することができる。
【００３２】
また、制御部２１は、視聴者による操作部２２やリモートコントローラ２３の操作に基づいて、ＨＤＤ２７からデジタルの映像信号及び音声信号を読み出し、記録再生処理部２８によって復号化した後、信号処理部１５に供給することによって、以後、上記した映像表示及び音声再生に供させるように制御することができる。
【００３３】
さらに、テレビジョン装置１００には、入力端子２９が接続されている。入力端子２９は、テレビジョン装置１００の外部からデジタルの映像信号及び音声信号を直接入力するためのものである。この入力端子２９を介して入力されたデジタルの映像信号及び音声信号は、制御部２１の制御に基づいて、記録再生処理部２８を介した後、信号処理部１５に供給されて、以後、上記した映像表示及び音声再生に供される。
【００３４】
また、入力端子２９を介して入力されたデジタル映像信号及びデジタル音声信号は、制御部２１の制御に基づいて、記録再生処理部２８を介した後、ディスクドライブ部２５による光ディスク２６に対しての記録再生や、ＨＤＤ２７によるハードディスク３０ａに対しての記録再生に供される。
【００３５】
なお、制御部２１は、視聴者による操作部２２やリモートコントローラ２３の操作に基づいて、ディスクドライブ部２５とＨＤＤ２７との間で、光ディスク２６に記録されているデジタル映像信号及びデジタル音声信号をＨＤＤ２７に記録したり、ＨＤＤ２７に記憶されているデジタル映像信号及びデジタル音声信号を光ディスク２６に記録したりすることも制御している。
【００３６】
また、制御部２１には、カメラ装置４が接続されている。このカメラ装置４は、ＣＣＤやＣＭＯＳ等の撮像素子を有するデジタルカメラやビデオカメラであり、テレビジョン装置１００に対向する方向、つまりテレビジョン装置１００の観察領域（図３参照）を撮像する。また、制御部２１は、カメラ装置４で撮像された撮像画像に基づき、上述した提示画面を提示するための機能部を有する。以下、係る機能部の構成について説明する。
【００３７】
図４は、制御部２１の機能構成を模式的に示すブロック図である。図４に示すように、制御部２１は、ＣＰＵ２１１と、ＲＯＭ２１２や不揮発性メモリ２１４に記憶された所定のプログラムとの協働により、切替検出部５１、撮像処理部５２、存在位置特定部５３、第１表示制御部５４及び第２表示制御部５５を、ＲＡＭ２１３上に機能部として備える。
【００３８】
ここで、切替検出部５１は、操作部２２やリモートコントローラ２３を用いた操作の指示内容を監視し、平面視表示から立体視表示への切り替えが指示されると、当該指示を切替指示として検出する。
【００３９】
撮像処理部５２は、切替検出部５１で平面視表示から立体視表示への切替指示が検出された場合に、カメラ装置４を動作させることで、カメラ装置４が撮像した撮像画像を取得する。
【００４０】
存在位置特定部５３は、撮像処理部５２で取得された撮像画像に含まれる視聴者の画像に基づいて、観察領域内での各視聴者の存在位置、つまりテレビジョン装置１００に対する相対位置を特定し、この存在位置を第２表示制御部５５に出力する。なお、存在位置の特定方法は、公知の技術を用いることが可能である。例えば、視聴者の両眼間の距離等に基づいてテレビジョン装置１００との離間距離を特定する方法や、視聴者の頭の位置や両目位置等から観察領域内での存在位置を特定する方法を用いることができる。なお、観察領域内に視聴者が複数人存在する場合には、テレビジョン装置１００に最も近い視聴者や最も遠い視聴者等、何れか一人の視聴者の存在位置を代表値として第２表示制御部５５に出力する形態としてもよいし、各視聴者についての存在位置の平均値を第２表示制御部５５に出力する形態としてもよい。
【００４１】
第１表示制御部５４は、撮像処理部５２で取得された撮像画像を表すデジタル映像信号を信号処理部１５に出力し、撮像画像として当該信号処理部１５に処理させる。なお、第１表示制御部５４は、撮像画像を表示させる際に、平面視表示用の映像信号として処理するよう信号処理部１５を制御する。
【００４２】
第２表示制御部５５は、不揮発性メモリ２１４に記憶された観察領域情報を用いて、存在位置特定部５３から入力された存在位置近辺での視域と逆視領域との配置関係を示したＯＳＣ信号を、領域画像としてＯＳＤ信号生成部１８に生成させる。
【００４３】
合成処理部１６では、信号処理部１５から出力された撮像画像に、ＯＳＤ信号生成部１８で生成された領域画像を重畳し、提示画像として映像処理部１９に出力する。そして、映像処理部１９は、提示画像を表示部３（表示パネル３１）に出力することで、当該提示画像が表示される。
【００４４】
図５は、表示部３に表示された提示画像の一例を示す図であり、図３のカメラ装置４から見た、観察領域Ａ１での視域Ａ１１と逆視領域Ａ１２との配置関係を表している。ここで、空白で示す領域が視域Ａ１１であり、パターンを重畳した領域が逆視領域Ａ１２である。このような提示画像を表示部３に表示することで、視聴者に自分自身の存在位置と、視域Ａ１１及び逆視領域Ａ１２との相対配置関係を把握させることができる。
【００４５】
なお、提示画像の表示形態は、図５の例に限らないものとする。例えば、図６に示すように、図５に示した提示画像を鏡像反転したものを表示部３に表示する形態としてもよい。また、図７、図８に示すように、表示画面の一部の領域に提示画像を表示する形態としてもよい。ここで、図７は、立体視表示への切り替え指示を受け付ける前から表示している平面視表示の視聴コンテンツと、提示画像とを並べて表示したダブルウィンドウ表示を示す図である。また、図８は、立体視表示への切り替え指示を受け付ける前から表示している平面視表示の視聴コンテンツ中の一部に提示画像を表示したピクチャインピクチャ（ＰｉｎＰ）表示を示す図である。
【００４６】
制御部２１では、操作部２２やリモートコントローラ２３の操作により、視聴者から提示画像の消去が指示されると、上記各機能部を停止することで表示部３に表示された提示画像を消去する。そして、制御部２１は、立体視表示用の信号処理を信号処理部１５に開始させることで、表示部３に立体視表示用の映像信号（立体画像）を表示させる。
【００４７】
以下、図９を参照し、平面視表示から立体視表示に切り替える際の制御部２１の動作について説明する。ここで、図９は、第１の実施形態に係る表示切替時処理の手順を示すフローチャートである。なお、本処理の前提として、表示部３に平面視表示の映像信号が表示されているものとする。
【００４８】
まず、制御部２１の切替検出部５１は、操作部２２やリモートコントローラ２３の操作により、平面視表示から立体視表示への切り替えが指示されるまで待機する（ステップＳ１１；Ｎｏ）。ここで、平面視表示から立体視表示への切替指示を検出すると（ステップＳ１１；Ｙｅｓ）、撮像処理部５２は、カメラ装置４が撮像した撮像画像を取得する（ステップＳ１２）。なお、カメラ装置４の撮像は、立体視表示用の映像信号が表示部３に表示されるまで継続させるものとする。
【００４９】
存在位置特定部５３は、撮像処理部５２で順次取得される撮像画像に含まれた視聴者の画像に基づき、何れか一の視聴者の存在位置を特定（測定）すると、この存在位置を第２表示制御部５５に出力する（ステップＳ１３）。
【００５０】
第１表示制御部５４は、撮像処理部５２で順次取得される撮像画像を信号処理部１５に出力することで、当該撮影画像を信号処理部１５に処理させる（ステップＳ１４）。また、第２表示制御部５５は、不揮発性メモリ２１４に記憶された観察領域情報に基づき、存在位置特定部５３から入力された存在位置近辺での視域と逆視領域との配置関係を示した領域画像を、ＯＳＤ信号生成部１８に生成させる（ステップＳ１５）。
【００５１】
次いで、合成処理部１６が、撮像画像に領域画像を重畳することで提示画像を生成し、と、当該提示画像を映像処理部１９が表示部３に出力することで、当該提示画像が表示部３に表示される（ステップＳ１６）。このとき、テレビジョン装置１００の視聴者は、表示部３に表示された提示画像に基づき、自分自身が視域又は逆視領域に位置するのかを確認することができる。
【００５２】
次いで、制御部２１は、操作部２２やリモートコントローラ２３の操作により、視聴者から提示画像の消去が指示されるまで待機する（ステップＳ１７；Ｎｏ）。なお、この待機の間も、撮像処理部５２、存在位置特定部５３、第１表示制御部５４及び第２表示制御部５５が動作することで、カメラ装置４の撮像画像に基づく提示画像の表示がリアルタイムで更新されているものとする。
【００５３】
提示画像消去の指示を受け付けると（ステップＳ１７；Ｙｅｓ）、制御部２１は、上記各機能部の機能を停止することで表示部３に表示された提示画像を消去する(ステップＳ１８)。そして、制御部２１は、立体視表示用の信号処理を信号処理部１５に開始させることで、表示部３に立体視表示用の映像信号（立体映像）を表示させ（ステップＳ１９）、本処理を終了する。
【００５４】
以上のように、第１の実施形態によれば、平面視表示から立体視表示への切り替え時に、観察領域内での視域と逆視領域との配置関係を表した提示画面を視聴者に提示することで、各視聴者に自分自身と、視域及び逆視領域との相対配置関係を把握させることができる。これにより、視聴者は自分がどの方向に移動すれば、視域に入るかを容易に理解することができるため、より良好に立体画像を観察することが可能となる。また、逆視領域に存在した視聴者は視域に移動した後、提示画像の消去を指示することで、立体視表示用の映像信号の表示を開始することができるため、視聴者の利便性を向上させることができる。
【００５５】
なお、上記処理では、視聴者からの指示に応じて提示画像を消去する形態としたが、これに限らず、提示画像を表示してから所定時間が経過した後（例えば、５秒等）、自動的に消去する形態としてもよい。
【００５６】
また、上記処理では、視聴者の存在位置に応じた提示画像（領域画像）を提示する形態としたが、これに限らず、予め定められた位置での視域Ａ１１と逆視領域Ａ１２との配置関係を、提示画像（領域画像）として提示する形態としてもよい。なお、この形態の場合、所定位置での領域画像を生成するよう第２表示制御部５５を動作させることで、図４の構成から存在位置特定部５３を除去する構成としてもよい。
【００５７】
［第２の実施形態］
次に、立体画像表示装置の第２の実施形態について説明する。第２の実施形態では、観察領域内での視聴者の存在位置に応じて提示画像の表示を行う。なお、上記第１の実施形態と同様の構成については、同一の符号を付与し説明を省略する。
【００５８】
図１０は、上述した制御部２１に対応する、第２の実施形態の制御部２１ａの機能構成を模式的に示すブロック図である。図１０に示すように、制御部２１ａは、ＣＰＵ２１１と、ＲＯＭ２１２や不揮発性メモリ２１４に記憶された所定のプログラムとの協働により、切替検出部５１、撮像処理部５２、存在位置特定部５３ａ、第１表示制御部５４ａ及び第２表示制御部５５ａを、ＲＡＭ２１３上に機能部として備える。
【００５９】
ここで、存在位置特定部５３ａは、上述した存在位置特定部５３に対応する機能部であり、不揮発性メモリ２１４に記憶された観察領域情報と、各視聴者について特定した存在位置とに基づき、逆視領域に視聴者が存在するか否かを判定する。ここで、逆視領域に視聴者が存在する場合、存在位置特定部５３ａは、第１表示制御部５４ａ及び第２表示制御部５５ａを動作させることで、表示部３に提示画像を表示させる。その際、存在位置特定部５３ａは、一の視聴者について特定した存在位置を、第２表示制御部５５ａに出力する。
【００６０】
また、存在位置特定部５３ａは、全ての視聴者が視域に存在すると判定した場合、第１表示制御部５４ａ及び第２表示制御部５５ａの動作を停止させることで、提示画像の表示を表示部３から消去する。
【００６１】
第１表示制御部５４ａは、上述した第１表示制御部５４に対応する機能部であり、存在位置特定部５３ａの制御に従い、撮像処理部５２で取得された撮像画像の信号処理部１５への出力を開始する。
【００６２】
第２表示制御部５５ａは、上述した第２表示制御部５５に対応する機能部であり、存在位置特定部５３ａの制御に従い、存在位置特定部５３ａから入力された存在位置近辺の領域画像をＯＳＤ信号生成部１８に生成させる。
【００６３】
合成処理部１６では、信号処理部１５から出力された撮像画像に、ＯＳＤ信号生成部１８で生成された領域画像を重畳し、提示画像として映像処理部１９に出力する。そして、映像処理部１９は、提示画像を表示部３（表示パネル３１）に出力することで、上述した第１の実施形態と同様に、表示部３が提示画像に表示される（図５〜図８参照）。
【００６４】
ここで、本実施形態の提示画像は、存在位置特定部５３ａの制御により、少なくとも一人の視聴者が逆視領域に存在する場合に表示される。また、視聴者全員が視域に存在する場合又は逆視領域に位置した視聴者が視域に移動した場合には、存在位置特定部５３ａの制御により、提示画像は消去又は非表示とされる。
【００６５】
なお、本実施形態で表示する提示画像は、上記した図５〜図８の例に限らず、存在位置特定部５３ａでの判定結果を用いることで、視域又は逆視領域に存在する視聴者を強調して表示することができる。例えば、図１１に示すように、視域に存在する視聴者Ｐ１、Ｐ２の頭部を矩形Ｍ１等でマーキングすることで、視聴者自身が視域Ａ１１に存在か否かを容易に把握させることができる。この表示形態を用いる場合、例えば、存在位置特定部５３ａが検出した各視聴者の頭部位置に関する情報を用いて、第２表示制御部５５ａが、この頭部位置へのマーキングをＯＳＤ信号生成部１８に指示する。
【００６６】
以下、図１２を参照し、本実施形態に係る制御部２１が実行する、平面視表示から立体視表示に切り替える際の表示切替処理について説明する。ここで、図１２は、第２の実施形態に係る表示切替時処理の手順を示すフローチャートである。なお、本処理の前提として、表示部３に平面視表示の映像が表示されているものとする。
【００６７】
まず、制御部２１の切替検出部５１は、操作部２２やリモートコントローラ２３の操作により、平面視表示から立体視表示への切り替えが指示されるまで待機する（ステップＳ２１；Ｎｏ）。ここで、平面視表示から立体視表示への切替指示を検出すると（ステップＳ２１；Ｙｅｓ）、撮像処理部５２は、カメラ装置４が撮像した撮像画像を取得する（ステップＳ２２）。なお、カメラ装置４の撮像は、立体視表示用の映像信号が表示部３に表示されるまで継続させるものとする。
【００６８】
存在位置特定部５３ａは、撮像処理部５２で順次取得される撮像画像に含まれた視聴者の画像に基づいて、観察領域内における各視聴者の存在位置を特定する（ステップＳ２３）。続いて、存在位置特定部５３ａは、不揮発性メモリ２１４に記憶された観察領域情報と、ステップＳ２３で特定した各視聴者の存在位置とに基づき、逆視領域に視聴者が存在するか否かを判定する（ステップＳ２４）。
【００６９】
ここで、逆視領域に視聴者が存在すると判定した場合（ステップＳ２４；Ｙｅｓ）、存在位置特定部５３ａは、一の視聴者について特定した存在位置を第２表示制御部５５ａに出力し、第１表示制御部５４ａ及び第２表示制御部５５ａを動作させる。
【００７０】
第１表示制御部５４ａは、撮像処理部５２で順次取得される撮像画像を信号処理部１５に出力することで、当該撮影画像を信号処理部１５に処理させる（ステップＳ２５）。また、第２表示制御部５５ａは、不揮発性メモリ２１４に記憶された観察領域情報に基づいて、存在位置特定部５３から入力された存在位置近辺の視域と逆視領域との配置関係を示した領域画像を、ＯＳＤ信号生成部１８に生成させる（ステップＳ２６）。
【００７１】
次いで、合成処理部１６が、撮像画像に領域画像を重畳することで提示画像を生成し、映像処理部１９が、当該提示画像を表示部３に出力することで、当該提示画像が表示部３に表示される（ステップＳ２７）。そして、ステップＳ２７の後、ステップＳ２４に再び戻る。ステップＳ２４では、逆視領域に視聴者がいなくなるまでステップＳ２４→Ｓ２７が繰り返し実行される。このとき、テレビジョン装置１００の視聴者は、表示部３に表示された提示画像に基づき、自分自身が視域又は逆視領域に位置するのかを確認することができる。
【００７２】
視聴者の視域への移動等により、全ての視聴者が視域に存在すると判定すると（ステップＳ２４；Ｎｏ）、存在位置特定部５３ａは、第１表示制御部５４ａ及び第２表示制御部５５ａの動作を停止させることで、提示画像の表示を消去する（ステップＳ２８）。なお、提示画像の表示を行っていない場合、つまり全ての視聴者が当初から視域に存在する場合には、ステップＳ２８をスキップし、続くステップＳ２９に直ちに移行する。
【００７３】
そして、制御部２１ａは、上記各機能部の機能を停止した後、立体視表示用の信号処理を信号処理部１５に開始させることで、表示部３に立体視表示用の映像信号（立体映像）を表示させ（ステップＳ２９）、本処理を終了する。
【００７４】
以上のように、第２の実施形態によれば、平面視表示から立体視表示への切り替え時に、観察領域内での視域と逆視領域との配置関係を表した提示画面を視聴者に提示することで、各視聴者に自分自身と、視域及び逆視領域との相対配置関係を把握させることができる。これにより、視聴者は自分がどの方向に移動すれば、視域に入るかを容易に理解することができるため、より良好に立体画像を観察することが可能となる。また、視聴者が逆視領域に存在するか否かに応じて提示画像の表示を制御することができるため、提示画像を効率的に視聴者に提示することができる。
【００７５】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更、追加等を行うことができる。また、上記実施形態やその変形は、発明の範囲や要旨に含まれるとともに、特許請求の範囲に記載された発明とその均等の範囲に含まれる。
【００７６】
例えば、上記実施形態では、ＯＳＤ信号生成部１８により生成されるＳＯＤ信号を用いて、提示画像を生成する形態としたが、これに限らず、撮像画像に直接画像処理を施すことで、当該撮像画像に視域と逆視領域との配置関係を表す形態としてもよい。この場合、信号処理部１５に対して、逆視領域に対応する撮像画像内の領域に所定の画像処理を施すことを指示する。例えば、図５に示した撮像画像内での逆視領域に対応する部分の輝度を低下させる。
【００７７】
また、上記実施形態では、撮影画像中の視聴者の画像に基づき、観察領域内での存在位置を特定する形態としたが、これに限らず、赤外線等を用いた測距センサを別途備えることで、この測距センサの検出結果に基づき、存在位置を特定する形態としてもよい。
【符号の説明】
【００７８】
３…表示部、４…カメラ装置、２１、２１ａ…制御部、２２…操作部、２３…リモートコントローラ、３１…表示パネル、３２…光線制御子、５１…切替検出部、５２…撮像処理部、５３、５３ａ…存在位置特定部、５４、５４ａ…第１表示制御部、５５、５５ａ…第２表示制御部、１００…テレビジョン装置
【図１】
2012253425.tif 000003
【図２】
2012253425.tif 000004
【図３】
2012253425.tif 000005
【図４】
2012253425.tif 000006
【図５】
2012253425.tif 000007
【図６】
2012253425.tif 000008
【図７】
2012253425.tif 000009
【図８】
2012253425.tif 000010
【図９】
2012253425.tif 000011
【図１０】
2012253425.tif 000012
【図１１】
2012253425.tif 000013
【図１２】
2012253425.tif 000014